(57)【要約】【課題】テレビ放送受信時において、携帯機機内のノイズ信号による受信感度の劣化を改善する。【解決手段】この目的を達成するために、ノイズ発生源に近接して配置されるとともにノイズ発生源である例えば画像形成部１１５から出力されるノイズ信号を抽出するピックアップアンテナ１３３と、テレビ受信用アンテナ１１７ａからのテレビ信号が入力されるとともにピックアップアンテナ１３３により抽出されたノイズ信号が供給されるノイズキャンセル部１３７ａと、テレビ受信用アンテナ１１７ｂからのテレビ信号が供給されるとともにピックアップアンテナ１３３により抽出されたノイズ信号が供給されるノイズキャンセル部１３７ｂを設ける。【選択図】図１
2009246938.tif 000002
【特許請求の範囲】
【請求項１】
ノイズ発生源に近接して配置されるとともに前記ノイズ発生源から出力されるノイズ信号を抽出するピックアップアンテナと、第１のテレビ受信用アンテナからのテレビ信号が第１の入力に供給されるとともに前記ピックアップアンテナにより抽出された前記ノイズ信号が第２の入力に供給される第１のノイズキャンセル部と、第２のテレビ受信用アンテナからのテレビ信号が第３の入力に供給されるとともに前記ピックアップアンテナにより抽出された前記ノイズ信号が第４の入力に供給される第２のノイズキャンセル部を設け、前記第１、第２のテレビ受信用アンテナにそれぞれ飛び込んだ前記ノイズ信号を前記第１、第２のノイズキャンセル部によりキャンセルするノイズキャンセル装置。
【請求項２】
前記第１のノイズキャンセル部は、前記第２の入力から供給された前記ノイズ信号の位相および利得を調整する第１のキャンセル信号生成回路と、前記第１のキャンセル信号生成回路から出力される第１のノイズキャンセル信号と前記第１の入力から供給される前記テレビ信号がそれぞれ供給される第１の合成回路から構成され、前記第２のノイズキャンセル部は、前記第４の入力から供給された前記ノイズ信号の位相および利得を調整する第２のキャンセル信号生成回路と、前記第２のキャンセル信号生成回路から出力される第２のノイズキャンセル信号と前記第３の入力から供給される前記テレビ信号がそれぞれ供給される第２の合成回路から構成される請求項１に記載のノイズキャンセル装置。
【請求項３】
前記ピックアップアンテナの巻軸方向は前記第１のテレビ受信用アンテナおよび第２のテレビ受信用アンテナに対してともに直角に配置される請求項１に記載のノイズキャンセル装置。
【請求項４】
前記ピックアップアンテナには渦巻き型のプリントパターンが用いられる請求項３に記載のノイズキャンセル装置。
【請求項５】
前記ピックアップアンテナにはチップインダクタが用いられる請求項３に記載のノイズキャンセル装置。
【請求項６】
前記ピックアップアンテナは、一方の端子が前記ノイズキャンセル部の入力に接続され、他方の端子が前記ノイズ信号発生源に近接したグランド部に接続される請求項１に記載のノイズキャンセル装置。
【請求項７】
前記ピックアップアンテナの一方の端子、他方の端子は、平衡回路の配線部により前記第１、第２のキャンセル信号生成回路の入力にそれぞれ接続される請求項１に記載のノイズキャンセル装置。
【請求項８】
前記ピックアップアンテナと前記第１、第２のノイズキャンセル部の間であって、かつ前記ピックアップアンテナの出力に近接して高周波増幅器が設けられた請求項１に記載のノイズキャンセル装置。
【請求項９】
請求項１に記載のノイズキャンセル部が複数設けられたノイズキャンセル装置であって、前記ノイズキャンセル部には、合成回路とキャンセル信号生成回路が設けられ、前記キャンセル信号生成回路には一つのピックアップアンテナからのノイズ信号がそれぞれ入力されるノイズキャンセル装置。
【請求項１０】
請求項１に記載のノイズキャンセル部が複数設けられたノイズキャンセル装置であって、前記ノイズキャンセル部には、合成回路と複数のキャンセル信号生成回路が設けられ、前記キャンセル信号生成回路の入力には複数のピックアップアンテナのうちいずれか一つのノイズ信号が入力されるノイズキャンセル装置。
【請求項１１】
請求項１に記載のノイズキャンセル装置と、このノイズキャンセル装置からの信号が入力されるとともに受信信号を選局するチューナ部と、このチューナ部からの信号が入力されるとともに復調信号を出力する復調部とを有する高周波受信部。
【請求項１２】
請求項１１に記載の高周波受信部と、前記高周波受信部からの信号が入力される画像形成部と、前記画像形成部からの信号により画像を表示する画像表示部が設けられる携帯機器。
【発明の詳細な説明】
【技術分野】
【０００１】
本発明は、携帯電話、携帯式のゲーム機、携帯式のコンピュータ、携帯式の辞書等のように、画像表示部を有し、その画像表示部に対して画像形成部からの信号で画像を表示する携帯機器に関するものである。
【背景技術】
【０００２】
近年の上記携帯機器は、部品の小型化、半導体素子の集積化がますます進んだことから、非常に軽く、また小型化が進んでいる。このため、携帯機器の機能をますます充実する試みも活発に行われている。
【０００３】
これにより、携帯機器では、携帯電話、携帯式のゲーム機、携帯式のコンピュータ、携帯式の辞書等の機能を有し、さらにテレビ放送を視聴できるようになっている。
【０００４】
なお、この出願の発明に関連する先行技術文献情報としては、例えば、特許文献１が知られている。
【特許文献１】特開２００８−２２２９４号公報
【発明の開示】
【発明が解決しようとする課題】
【０００５】
しかしながら、従来の携帯機器では、携帯機器から出力されるクロック信号やその高調波信号の一部がノイズ信号源となって、テレビ受信用アンテナから侵入した。
【０００６】
特に、地上波デジタルテレビ放送は、既存のアナログ放送受信時への妨害を考慮して、送信電力を小さくしている。このため、地上波デジタルテレビ受信時に、電波状態が悪い場合には受信感度の劣化となり、テレビ放送を視聴できない場合が発生した。
【０００７】
そこで本発明は、携帯機器のクロック信号やその高調波信号の一部によるテレビ放送受信時の受信感度への影響を抑制することを目的とするものである。
【課題を解決するための手段】
【０００８】
この目的を達成するために、本発明のノイズキャンセル装置は、ノイズ発生源に近接して配置されるとともに前記ノイズ発生源から出力されるノイズ信号を抽出するピックアップアンテナと、第１のテレビ受信用アンテナからのテレビ信号が第１の入力に供給されるとともに前記ピックアップアンテナにより抽出された前記ノイズ信号が第２の入力に供給される第１のノイズキャンセル部と、第２のテレビ受信用アンテナからのテレビ信号が第３の入力に供給されるとともに前記ピックアップアンテナにより抽出された前記ノイズ信号が第４の入力に供給される第２のノイズキャンセル部を設ける。
【０００９】
これにより所期の目的を達成するものである。
【発明の効果】
【００１０】
以上のように、本発明のノイズキャンセル装置は、ノイズ発生源に近接して配置されるとともに前記ノイズ発生源から出力されるノイズ信号を抽出するピックアップアンテナと、第１のテレビ受信用アンテナからのテレビ信号が第１の入力に供給されるとともに前記ピックアップアンテナにより抽出された前記ノイズ信号が第２の入力に供給される第１のノイズキャンセル部と、第２のテレビ受信用アンテナからのテレビ信号が第３の入力に供給されるとともに前記ピックアップアンテナにより抽出された前記ノイズ信号が第４の入力に供給される第２のノイズキャンセル部を設ける。
【００１１】
これにより、ノイズ信号源から出力されるノイズ信号が第１、第２のテレビ受信用アンテナにそれぞれ飛び込んだとしても、このノイズ信号を第１、第２のノイズキャンセル部により大幅に抑制できる。
【００１２】
従って、テレビ放送受信時における受信感度を大きく改善できる。
【発明を実施するための最良の形態】
【００１３】
（実施の形態１）
以下、本発明の実施の形態１について、図１を用いて説明する。図１は、携帯機器１０１のブロック図である。本発明の実施の形態では一実施例として、デジタル方式のテレビ信号を受信できる携帯機器１０１について説明する。
【００１４】
この携帯機器１０１は、デジタル放送方式のテレビ信号を受信する高周波受信部１０３と、携帯電話、携帯式のゲーム機、携帯式のコンピュータ、携帯式の辞書等の機能を有する本体部１０５と、これら高周波受信部１０３の出力と本体部１０５の出力がそれぞれ接続されているベースバンド信号処理部１０７と、このベースバンド信号処理部１０７からの信号が供給される画像表示部１０９、音声出力部１１１と、ベースバンド信号処理部１０７、高周波受信部１０３、本体部１０５を制御するシステム制御部１１３から構成されている。
【００１５】
また、ベースバンド信号処理部１０７とシステム制御部１１３とにより画像形成部１１５が構成されている。
【００１６】
高周波受信部１０３は、テレビ受信用アンテナ１１７ａ、１１７ｂからのテレビ信号がそれぞれ供給される入力端子１１９ａ、１１９ｂと、トランスポートストリーム（ＰＳ）信号が出力される出力端子１２１が設けられている。
【００１７】
この入力端子１１９ａから出力端子１２１に向かって順に、テレビ受信用アンテナ１１７ａの入力インピーダンスを整合させるアンテナ整合器１２２ａ、高周波信号を増幅する高周波増幅器１２３ａ、この高周波増幅器１２３ａからの出力信号が一方の入力１２６ａに供給される合成回路１２５ａ、この合成回路１２５ａの出力１２６ｅが接続されるチューナ復調部１２７ａ、このチューナ復調部１２７ａからの出力が一方の入力１３１ａに供給されるとともに誤り訂正およびデコード（復号化）の信号処理を行うダイバシティ・デコード部１３１が接続されている。
【００１８】
また、アンテナ整合器１２２ａと高周波増幅器１２３ａによりアンテナ整合部１３２ａが構成されている。
【００１９】
さらに、合成回路１２５ａの入力１２６ｃには、キャンセル信号生成回路１３５ａの出力が接続されている。このキャンセル信号生成回路１３５ａの入力には、ピックアップアンテナ１３３からのノイズ信号が入力端子１３４ａおよび配線部１３４を介して入力される。
【００２０】
これらキャンセル信号生成回路１３５ａおよび合成回路１２５ａによりノイズキャンセル部１３７ａが構成されている。
【００２１】
同様に、入力端子１１９ｂから出力端子１２１に向かって順に、テレビ受信用アンテナ１１７ｂの入力インピーダンスを整合させるアンテナ整合器１２２ｂ、高周波信号を増幅する高周波増幅器１２３ｂ、この高周波増幅器１２３ｂからの出力信号が一方の入力１２６ｂに供給される合成回路１２５ｂ、この合成回路１２５ｂの出力１２６ｆが接続されるチューナ復調部１２７ｂ、このチューナ復調部１２７ｂからの出力が他方の入力１３１ｂに供給されるとともに誤り訂正および復号化の信号処理を行うダイバシティ・デコード部１３１が接続されている。
【００２２】
また、アンテナ整合器１２２ｂと高周波増幅器１２３ｂによりアンテナ整合部１３２ｂが構成されている。
【００２３】
さらに、合成回路１２５ｂの入力１２６ｄには、キャンセル信号生成回路１３５ｂの出力が接続されている。このキャンセル信号生成回路１３５ｂの入力には、ピックアップアンテナ１３３からのノイズ信号が入力される。
【００２４】
これらキャンセル信号生成回路１３５ｂおよび合成回路１２５ｂによりノイズキャンセル部１３７ｂが構成されている。
【００２５】
また、合成回路１２５ａは入力１２６ａと出力１２６ｅとが信号ラインにより接続され、入力１２６ｃからこの信号ラインに向かって出力インピーダンスの高い増幅器が設けられている。これにより、キャンセル信号生成回路１３５ａによる高周波信号への影響を小さくすることができる。合成回路１２５ｂについても同様である。
【００２６】
さらに、チューナ復調部１２７ａには、入力から出力に向かって順に、少なくとも利得制御の可能な高周波増幅器１２８ａ、混合器１３０ａ、復調部１３０ｃ（共に図示せず）が設けられている。
【００２７】
同様に、チューナ復調部１２７ｂには、入力から出力に向かって順に、少なくとも利得制御の可能な高周波増幅器１２８ｂ、混合器１３０ｂ、復調部１３０ｄ（共に図示せず）が設けられている。
【００２８】
なお、ノイズキャンセル部１３７ａ、１３７ｂと、ピックアップアンテナ１３３によりノイズキャンセル装置１３８が構成されている。
【００２９】
このように構成された携帯機器１０１の動作について図１を用いて以下説明する。
【００３０】
最初に、本体部１０５、画像形成部１１５、画像表示部１０９、音声出力部１１１の動作について説明する。本体部１０５は、携帯電話、携帯式のゲーム機、携帯式のコンピュータ、携帯式の辞書等の機能を有している。この本体部１０５から出力される例えばベースバンド信号は、ベースバンド信号処理部１０７に入力される。
【００３１】
これら本体部１０５、ベースバンド信号処理部１０７、画像表示部１０９は、システム制御部１１３により制御されている。このベースバンド信号処理部１０７から出力される映像信号は、画像表示部１０９により画像が表示され、また、ベースバンド信号処理部１０７から出力される音声信号は、音声出力部１１１により音声とされる。
【００３２】
次に、高周波受信部１０３の動作について説明する。例えば、テレビ受信用アンテナ１１７ａ、１１７ｂにより受信されたデジタル放送信号は、アンテナ整合部１３２ａ、１３２ｂにそれぞれ入力される。
【００３３】
このアンテナ整合部１３２ａ、１３２ｂは、入力側にそれぞれ設けられたアンテナ整合器１２２ａ、１２２ｂと、その後続の高周波増幅器１２３ａ、１２３ｂとによりそれぞれ構成されている。これにより、短いテレビ受信用アンテナ１１７ａ、１１７ｂでも受信感度を向上すると共に、インピーダンス整合を図っている。
【００３４】
さらに、ノイズキャンセル部１３７ａ、１３７ｂにおいて、不要なノイズ信号が位相キャンセルされる。この位相キャンセルされた信号は、チューナ復調部１２７ａ、１２７ｂに入力されて、利得制御されるとともに混合器により周波数変換され、さらに復調される。
【００３５】
この復調信号は、ダイバシティ・デコード部１３１に入力される。このダイバシティ・デコード部１３１では、チューナ復調部１２７ａ、１２７ｂからの復調信号の一方を選択しあるいは合成することによりシングル受信とダイバシティ受信の選択を行い、さらに受信信号の復号化を行う。
【００３６】
このダイバシティ・デコード部１３１から出力されるトランスポートストリーム（ＴＳ）信号は、出力端子１２１から出力される。
【００３７】
このＴＳ信号は、ベースバンド信号処理部１０７に入力され、ベースバンド信号処理部１０７からは映像信号と音声信号が出力され、さらに画像表示部１０９、音声出力部１１１に入力される。
【００３８】
また、システム制御部１１３は、高周波受信部１０３の受信チャンネルを選択し、さらにチューナ復調部１２７ａ、１２７ｂ、ダイバシティ・デコード部１３１を制御することにより受信品質を改善する。このようにして、主に高周波受信部１０３、画像形成部１１５、画像表示部１０９、音声出力部１１１により、テレビ信号を受信できる。
【００３９】
ところが、このテレビ信号を受信可能な高周波受信部１０３は、携帯電話、携帯式のゲーム機、携帯式のコンピュータ、携帯式の辞書等に内蔵されて用いられる。また、携帯機器として、ますます小型化サイズとされている。
【００４０】
このように、携帯機器としての機能アップ、さらに小型化サイズとなった結果として、例えば画像形成部１１５、画像表示部１０９を制御するためのそれぞれのクロック信号の高調波信号、あるいは発振器の高調波信号が、テレビ放送受信時の受信感度に悪い影響を与えることが発生する。
【００４１】
すなわち、これらクロック信号の高調波信号あるいは発振器の高調波信号の周波数が、ＵＨＦのテレビ信号の周波数と一致する場合がある。
【００４２】
特に、最近始まったいわゆる１セグメント放送では、アナログ信号への妨害を考慮してそもそも送信信号の電力を小さく設定しているので、放送電波の受信レベルが低い弱電界地域でのテレビ放送視聴時には、上記携帯機器からのクロック信号、発振器の高調波信号による影響は大きく、受信感度が悪くなる場合が発生する。
【００４３】
この弱電界地域における受信感度を改善するためのノイズキャンセル部１３７ａ、１３７ｂの動作について説明する。このノイズキャンセル部１３７ａ、１３７ｂには、ピックアップアンテナ１３３がそれぞれ接続されている。このピックアップアンテナ１３３によりノイズ信号がピックアップされる。このノイズ信号は、キャンセル信号生成回路１３５ａ、１３５ｂにおいて位相調整およびレベル調整が行われ、ノイズキャンセル信号となって合成回路１２５ａの入力１２６ｃ、合成回路１２５ｂの入力１２６ｄにそれぞれ入力される。
【００４４】
これらノイズキャンセル信号は、入力１２６ａ、１２６ｂから入力されるノイズ信号に対して振幅が同じで位相が反転した信号となるように調整される。これらノイズキャンセル信号により、入力１２６ａ、１２６ｂから入力されるノイズ信号は位相キャンセルされる。さらに、例えばＢＥＲ、あるいはＣ／Ｎ等をダイバシティ・デコード部１３１により受信品質を検出・判定することができる。
【００４５】
このように、システム制御部１１３が、ノイズキャンセル部１３７ａ、１３７ｂにおける位相キャンセルの動作と、さらにダイバシティ・デコード部１３１における検出・判定の動作の繰り返しを行う。これにより、最終的にキャンセル信号生成回路１３５ａ、１３５ｂからの出力信号の振幅、位相を最適な値に調整することができる。
【００４６】
以上のように、本発明は、テレビ信号の受信時において、携帯機器１０１のクロック信号やその高調波信号からなるノイズ信号がテレビ受信用アンテナ１１７ａ、１１７ｂから侵入したとしても、ノイズキャンセル部１３７ａ、１３７ｂによりキャンセルすることができる。
【００４７】
これにより、弱電界地域におけるテレビ信号の受信感度を改善できる高周波受信部１０３を実現できる。
【００４８】
また、この高周波受信部を携帯機器に採用することにより、携帯機器１０１から発生するクロック周波数の高調波信号によるテレビ信号の受信感度の劣化を防止することができる。
【００４９】
なお、ノイズ信号がテレビ受信用アンテナ１１７ａ、１１７ｂに侵入することにより妨害となるのは、テレビ受信用アンテナ１１７ａ、１１７ｂの希望チャンネルである受信信号が小さい場合に、受信感度が劣化することになる。
【００５０】
例えば、チューナ復調部１２７ａ、１２７ｂあるいはダイバシティ・デコード部１３１から出力される受信品質信号に基づいてノイズキャンセル部１３７ａ、１３７ｂの動作開始、動作停止の制御をすることができる。この受信品質信号として、例えばＢＥＲ、あるいはＣ／Ｎ等を用いればよい。
【００５１】
また、ノイズキャンセル部１３７ａを、チューナ復調部１２７ａに内蔵されている利得制御用の高周波増幅器１２８ａ（図示せず）の入力までの間に接続し、ノイズキャンセル部１３７ｂを、チューナ復調部１２７ｂに内蔵されている利得制御用の高周波増幅器１２８ｂ（図示せず）の入力までの間に接続しても、同様の効果が得られる。
【００５２】
さらに、ノイズキャンセル部１３７ａを、チューナ復調部１２７ａに内蔵されている利得制御用の高周波増幅器１２８ａ（図示せず）の出力から混合器１３０ａ（図示せず）の入力までの間に接続し、ノイズキャンセル部１３７ｂを、チューナ復調部１２７ｂに内蔵されている利得制御用の高周波増幅器１２８ｂ（図示せず）の出力から混合器１３０ｂ（図示せず）の入力までの間に接続してもよい。
【００５３】
この場合には、ノイズキャンセル部１３７ａ、１３７ｂの挿入損失、整合損失による高周波受信部１０３の雑音指数の劣化を軽減できるので、受信感度の劣化が少ない。
【００５４】
図２は、本発明の携帯機器１０１の各ブロックの配置図である。この配置図の右図は上面から見た透視図を表し、左図は側面からの透視図を表している。
【００５５】
図２において、ケース１４１内に設けられた基板１４３の上面１４３ａには、高周波受信部１０３と、テレビ受信用アンテナ１１７ａ、１１７ｂを配置し、下面１４３ｂには画像形成部１１５を配置している。さらに、この基板１４３の上面１４３ａの上方には画像表示部１０９が設けられている。
【００５６】
ここで、テレビ受信用アンテナ１１７ａ、１１７ｂは、ノイズ信号源である画像形成部１１５、画像表示部１０９からできる限り離して配置している。
【００５７】
このテレビ受信用アンテナ１１７ａは、ケース１４１の縦方向の長さ１０１ａに沿って内蔵して配置されている。これは、テレビ受信用アンテナ１１７ａの長さ１１８ａは、ＵＨＦ信号の４分の１波長である１０ｃｍ〜１５ｃｍとなり、ケース１４１の縦方向の長さ１０１ａより小さく、横方向の長さ１０１ｂより大きくなる。このようにして、テレビ受信用アンテナ１１７ａを縦方向に収納することにより、テレビ受信用アンテナ１１７ａの受信感度を確保できる。
【００５８】
一方、テレビ受信用アンテナ１１７ｂは、テレビ受信用アンテナ１１７ａに対して直角に配置されている。このテレビ受信用アンテナ１１７ｂは、横方向に収納されているので、テレビ受信用アンテナ１１７ａに対して受信感度が小さくなる。
【００５９】
これらテレビ受信用アンテナ１１７ａ、１１７ｂの２つのテレビ受信用アンテナによりダイバシティ受信を可能としている。
【００６０】
なお、テレビ受信用アンテナ１１７ａ、１１７ｂの一方あるいは両方が、基板１４３の下面にあってもよい。
【００６１】
ここで重要なことは、ピックアップアンテナ１３３は、例えばノイズ信号源の一つである画像形成部１１５に近接して配置することである。
【００６２】
例えば、基板１４３の一方の面に画像形成部１１５を設け、他方の面にピックアップアンテナ１３３を近接して設けているので、ピックアップアンテナ１３３によるノイズ信号を確実にピックアップできる。
【００６３】
なお、ピックアップアンテナ１３３とキャンセル信号生成回路１３５ａ、１３５ｂの間は、例えばプリントパターン等の配線部１３４により接続される。ところが、この配線部１３４の配線が長い場合には、この配線部１３４にテレビ信号が流入してしまい、テレビ信号がノイズキャンセル部１３７ａ、１３７ｂによりキャンセルされることになり、受信感度の劣化が発生してしまう。
【００６４】
これは、例えば配線部１３４をシールドすることにより改善できる。また、ピックアップアンテナ１３３とキャンセル信号生成回路１３５ａ、１３５ｂの間であって、かつピックアップアンテナ１３３の出力に近接して高周波増幅器１３６（図示せず）を接続することにより改善できる。
【００６５】
つまり、たとえ配線部１３４にテレビ信号が流入したとしても、高周波増幅器１３６により増幅されたピックアップアンテナ１３３によるノイズ信号は、配線部１３４から流入したノイズ信号より大きくすることができる。
【００６６】
これにより、システム制御部１１３では、チューナ復調部１２７ａ、１２７ｂの受信チャンネルを制御し、さらにキャンセル信号生成回路１３５ａ、１３５ｂの位相および利得を最適化することができる。
【００６７】
この最適化された位相および利得のデータをシステム制御部１１３にチャンネル毎に記憶する。次回受信時には、この記憶データを用いてノイズキャンセル部１３７ａ、１３７ｂの位相および利得を最適化制御できるので、短時間に希望のチャンネルを鮮明に受信できる。
【００６８】
図３（ａ）、（ｂ）は、ピックアップアンテナ１３３の実施の形態の一例を示している。図３（ａ）では、ピックアップアンテナ１３３として、チップインダクタのピックアップアンテナ２３７を用いた場合を表している。
【００６９】
このように、ピックアップアンテナ２３７をノイズ信号源に近接させて配置させ、さらにピックアップアンテナ２３７の巻線２３９の巻軸方向は、ノイズ信号源である例えば画像形成部１１５から出力されるノイズ信号の進行方向に一致させる。
【００７０】
これにより、ピックアップアンテナ２３７とノイズ信号源との磁界結合を強くできる。従って、ピックアップアンテナ２３７によるノイズ信号レベルを大きくできる。また、小型サイズのチップインダクタを用いることによりテレビ信号受信レベルをさらに小さく設定できる。
【００７１】
このため、ノイズキャンセル部１３７ａ、１３７ｂでは、テレビ受信用アンテナ１１７ａ、１１７ｂから流入したノイズ信号をキャンセルすることができ、ピックアップアンテナ２３７で受信されたテレビ受信信号による影響を受けることがない。これにより弱電界地域においても受信感度が劣化することがない。
【００７２】
図３（ｂ）では、ピックアップアンテナ１３３として、渦巻き型のプリントパターンのピックアップアンテナ２３８を用いた場合を表している。
【００７３】
さらに、ピックアップアンテナ２３８をノイズ信号源に近接させて配置させ、ピックアップアンテナ２３８の巻軸方向は、ノイズ信号源である例えば画像形成部１１５から出力されるノイズ信号の進行方向に一致させる。
【００７４】
これにより、ピックアップアンテナ２３８とノイズ信号源との磁界結合を強くできるのでノイズ信号レベルを大きくできる。また、小型サイズとしたプリントパターンを用いることによりテレビ信号受信レベルをさらに小さく設定できる。
【００７５】
このため、ノイズキャンセル部１３７ａ、１３７ｂでは、テレビ受信用アンテナ１１７ａ、１１７ｂから流入したノイズ信号をキャンセルすることができ、ピックアップアンテナ２３８で受信されたテレビ受信信号による影響を受けることがない。これにより、弱電界地域においても受信感度が劣化することがない。
【００７６】
なお、この渦巻き型のピックアップアンテナ２３８は、１ターンあるいは１ターン以下のプリントパターンとしても効果は同じである。
【００７７】
また、ピックアップアンテナ１３３には、例えばマイクロストリップラインを用いてもよい。このマイクロストリップラインは、信号ラインと、この信号ラインに近接して設けられたグランド部から構成され、ノイズ信号源に近接して信号ライン、グランド部の順番に配置すればよい。
【００７８】
図４は、本発明の他の実施形態を示し、この携帯機器１６１の高周波受信部１６２は、携帯機器１０１の高周波受信部１０３に対して、ピックアップアンテナ２２９の両端子とノイズキャンセル部１３７ａおよび１３７ｂとの間を平衡回路とした配線部２３０ａ、２３０ｂで接続している点が異なる。
【００７９】
なお、ピックアップアンテナ２２９は、例えばノイズ信号発生源のひとつである画像形成部１１５に近接して設けている。また、ノイズキャンセル部１３７ａ、１３７ｂと、配線部２３０ａ、２３０ｂと、ピックアップアンテナ２２９によりノイズキャンセル装置１６５が構成されている。
【００８０】
図４において、ピックアップアンテナ２２９の両端は、入力端子２３１ａ、２３１ｂに接続されている。この入力端子２３１ａ、２３１ｂは、平衡回路とした配線部２３０ａ、２３０ｂを介して、ノイズキャンセル部１３７ａ、１３７ｂにそれぞれ内蔵されているキャンセル信号生成回路１３５ａ、１３５ｂにそれぞれ平衡入力されている。
【００８１】
このように、ピックアップアンテナ２２９の両端子とキャンセル信号生成回路１３５ａ、１３５ｂとの間を平衡回路とした配線部２３０ａ、２３０ｂで接続しているので、例えテレビ信号が平衡回路の配線部２３０ａ、２３０ｂに飛び込んだとしても、キャンセルされる。
【００８２】
つまり、配線部２３０ａ、２３０ｂへのテレビ信号受信レベルの影響を小さくできるので、ピックアップアンテナ２２９におけるノイズ信号レベルを大きくできる。
【００８３】
これにより、ノイズキャンセル部１３７ａ、１３７ｂによりノイズキャンセルされたテレビ信号は、ピックアップアンテナ２２９で受信されたテレビ受信信号による影響を受けることがない。
【００８４】
なお、ピックアップアンテナ２２９とキャンセル信号生成回路１３５ａ、１３５ｂの間であって、かつピックアップアンテナ２２９の出力に近接して平衡入力、平衡出力の高周波増幅器１３６ａ（図示せず）を接続することにより、さらにノイズキャンセル部１３７ａ、１３７ｂに入力するノイズ信号レベルを大きくできる。
【００８５】
図５（ａ）、（ｂ）では、ピックアップアンテナ２２９としての実施形態の一例を示している。
【００８６】
図５（ａ）では、ピックアップアンテナ２２９として、チップインダクタのピックアップアンテナ２５４を用い、このピックアップアンテナ２５４の巻線２５５の巻軸方向は、ノイズ信号発生源から出力されるノイズ信号の進行方向に一致させる。これにより、さらに磁界結合を強くできる。
【００８７】
また、ピックアップアンテナ２５４の両端は、平衡回路とした配線部２５４ａ、２５４ｂによりキャンセル信号生成回路１３５ａ、１３５ｂの入力端子２３１ａ、２３１ｂに接続されている。
【００８８】
これにより、ノイズキャンセル部１３７ａ、１３７ｂによりノイズキャンセルされたテレビ信号は、ピックアップアンテナ２５４で受信されたテレビ受信信号による影響を受けることがない。
【００８９】
図５（ｂ）では、ピックアップアンテナ２２９として、渦巻き型のプリントパターンのピックアップアンテナ２５７を用い、このピックアップアンテナ２５７の巻軸方向は、ノイズ信号発生源から出力されるノイズ信号の進行方向に一致させる。これにより、さらに磁界結合を強くできる。
【００９０】
また、ピックアップアンテナ２５７の両端部は、平衡回路の配線部２５７ａ、２５７ｂによりキャンセル信号生成回路１３５ａ、１３５ｂの平衡入力に接続されている。
【００９１】
これにより、ノイズキャンセル部１３７ａ、１３７ｂによりノイズキャンセルされたテレビ信号は、ピックアップアンテナ２５７で受信されたテレビ受信信号による影響を受けることがない。
【００９２】
なお、渦巻き型のピックアップアンテナ２５７として、１ターンあるいは１ターン以下のプリントパターンとしても効果は同じである。
【００９３】
また、ピックアップアンテナ２５７には、例えばマイクロストリップラインを用いても良い。このマイクロストリップラインは、信号ラインと、この信号ラインに近接して設けられたグランド部から構成され、ノイズ信号源に近接して信号ライン、グランド部の順番に配置すればよい。
【００９４】
図６は、本発明の他の実施形態を示し、この携帯機器３０１では、携帯機器１０１に対して、ピックアップアンテナ３３３の先端部３３３ａをノイズ信号源のひとつである画像形成部１１５に近接したグランドに接続している点が異なる。
【００９５】
これにより、互いのグランドを共通としているので、画像形成部１１５からのノイズ信号成分を確実にピックアップできる。また、ピックアップアンテナ３３３のインピーダンスを十分に小さくできるので、テレビ信号を受信することがない。
【００９６】
図７（ａ）、（ｂ）は、図６で用いたピックアップアンテナ３３３の他の実施形態を示している。
【００９７】
図７（ａ）では、ピックアップアンテナ３３３として、チップインダクタのピックアップアンテナ３５５を用いている。
【００９８】
このピックアップアンテナ３５５では、図５（ａ）のピックアップアンテナ２５４では平衡回路での配線部２５４ａ、２５４ｂを有しているのに対して、ピックアップアンテナ３５５では先端部３６０をノイズ信号源のひとつである画像形成部１１５に近接したグランドに接続している点が異なる。
【００９９】
図７（ｂ）では、ピックアップアンテナ３３３として、渦巻き型のプリントパターンのピックアップアンテナ３５９を用いている。
【０１００】
このピックアップアンテナ３５９では、図５（ｂ）のピックアップアンテナ２５７では平衡回路での配線部２５７ａ、２５７ｂを有しているのに対して、ピックアップアンテナ３５９では先端部３６１をノイズ信号源のひとつである画像形成部１１５に近接したグランドに接続している点が異なる。
【０１０１】
このようにして、ピックアップアンテナ３５５、３５９を用いることにより、テレビ受信用アンテナ１１７ａ、１１７ｂから流入したノイズ信号をノイズキャンセル部１３７ａ、１３７ｂにおいて確実にキャンセルすることができる。
【０１０２】
従って、ピックアップアンテナ３３３で受信されたテレビ受信信号による影響を受けることがない。これにより、弱電界地域においても受信感度が劣化することがない。
【０１０３】
なお、渦巻き型のピックアップアンテナ３５９として、１ターンあるいは１ターン以下のプリントパターンとしてもよい。
【０１０４】
また、このピックアップアンテナ３５９として、例えばマイクロストリップラインを用いてもよい。このマイクロストリップラインは、信号ラインと、この信号ラインに近接して設けられたグランド部から構成され、ノイズ信号源に近接して信号ライン、グランド部の順番に配置すればよい。
【０１０５】
さらに、図２、図４、図６において、テレビ受信用アンテナ１１７ｂをテレビ受信用アンテナ１１７ａに対して平行に配置した場合においても、ピックアップアンテナ１３３、２２９、３３３の巻線部の磁束方向はテレビ受信用アンテナ１１７ａ、１１７ｂに対して直角に配置することができる。
【０１０６】
さらになお、テレビ受信用アンテナ１１７ａ、１１７ｂは、互いに平行でなく、また互いに直角でなくともよく、例えばノイズ信号発生源である画像形成部が装着される基板１４３の平面に沿って自由に配置される場合であってもよい。この場合においても、ピックアップアンテナ１３３、２２９、３３３の巻線部の磁束方向は、テレビ受信用アンテナ１１７ａ、１１７ｂに対して直角に配置することが可能となる。
【０１０７】
このようにして、ピックアップアンテナ１３３、２２９、３３３へのテレビ放送信号が流入することを防止できる。従って、弱電界地域におけるテレビ信号の受信感度を改善できる。
【０１０８】
（実施の形態２）
以下、本発明の実施の形態２について、図８を用いて説明する。図８は、携帯機器５０１のブロック図である。
【０１０９】
実施の形態１の携帯機器１０１では、一つのノイズ信号発生源に対してピックアップアンテナ１３３とノイズキャンセル部１３７ａ、１３７ｂを用いてノイズキャンセルを行っている。
【０１１０】
これに対して、実施の形態２の携帯機器５０１では、２つのノイズ信号発生源のそれぞれに対してピックアップアンテナ１３３、５１９を設け、ノイズキャンセル部５０５には２つのキャンセル信号生成回路５０９、５１１を設け、ノイズキャンセル部５０６には２つのキャンセル信号生成回路５１５、５１７を設けている。
【０１１１】
なお、図８で使用した部品について、図１と同じものについては同一の番号を付して説明を簡略化している。
【０１１２】
図８において、携帯機器５０１には、デジタル放送方式のテレビ信号を受信する高周波受信部５０３が内蔵されている。
【０１１３】
この高周波受信部５０３には、テレビ受信用アンテナ１１７ａ、１１７ｂからのテレビ信号がそれぞれ供給される入力端子５１１ａ、５１１ｂと、トランスポートストリーム（ＰＳ）信号が出力される出力端子５１４が設けられている。
【０１１４】
また、ノイズキャンセル部５０５は、アンテナ整合部１３２ａとチューナ復調部１２７ａの間に接続された合成回路５０７と、この合成回路５０７の入力５０７ａ、５０７ｂにそれぞれ接続されるキャンセル信号生成回路５０９、５１１が設けられている。
【０１１５】
このキャンセル信号生成回路５０９の入力には、ピックアップアンテナ１３３が、入力端子５２０ａおよび配線部５２１ａを介して接続されている。また、キャンセル信号生成回路５１１の入力には、ピックアップアンテナ５１９が、入力端子５２０ｂおよび配線部５２１ｂを介して接続されている。
【０１１６】
さらに、キャンセル信号生成回路５１５の入力には、ピックアップアンテナ１３３が、入力端子５２０ａおよび配線部５２１ａを介して接続されている。また、キャンセル信号生成回路５１７の入力には、ピックアップアンテナ５１９が、入力端子５２０ｂおよび配線部５２１ｂを介して接続されている。
【０１１７】
また、ノイズキャンセル部５０６は、アンテナ整合部１３２ｂとチューナ復調部１２７ｂの間に接続された合成回路５１３と、この合成回路５１３の入力５１３ａ、５１３ｂにそれぞれ接続されるキャンセル信号生成回路５１５、５１７が設けられている。
【０１１８】
このキャンセル信号生成回路５１５、５１７の入力には、ピックアップアンテナ１３３、５１９がそれぞれ接続されている。
【０１１９】
また、ノイズキャンセル部５０５、５０６と、ピックアップアンテナ１３３、５１９と、ピックアップアンテナ１３３、５１９と配線部５２１ａ、５２１ｂによりノイズキャンセル装置５２０を構成している。
【０１２０】
さらに、ピックアップアンテナ１３３、５１９は、例えばノイズ信号発生源のひとつである画像形成部１１５、画像表示部１０９にそれぞれ近接して設けられている。
【０１２１】
これにより、画像形成部１１５からのノイズ信号は、ピックアップアンテナ１３３により抽出され、さらに配線部５２１ａを介してキャンセル信号生成回路５０９、５１５に入力される。同様に、画像表示部１０９からのノイズ信号は、ピックアップアンテナ５１９により抽出され、さらに配線部５２１ｂを介してキャンセル信号生成回路５１１、５１７に入力される。
【０１２２】
このキャンセル信号生成回路５０９、５１１からのそれぞれのノイズキャンセル信号が入力される合成回路５０７において、テレビ受信用アンテナ１１７ａ、１１７ｂからそれぞれ流入したノイズ信号は位相キャンセルされる。
【０１２３】
同様に、キャンセル信号生成回路５１５、５１７からのそれぞれのノイズキャンセル信号が入力される合成回路５１３において、テレビ受信用アンテナ１１７ａ、１１７ｂからそれぞれ流入したノイズ信号は位相キャンセルされる。
【０１２４】
以上のように、例えば携帯機器のクロック信号、発振器の高調波信号からなる２つのノイズ信号が２つのテレビ受信用アンテナから侵入したとしても、２つのピックアップアンテナと、２つのノイズキャンセル部によりノイズ信号をそれぞれキャンセルすることができるので、テレビ放送受信時の受信感度を改善できる。
【０１２５】
なお、２つのノイズ信号発生源が存在する場合について説明したが、Ｍ（２以上の自然数）個のノイズ信号発生源が存在する場合においても同様である。すなわち、Ｍ個のピックアップアンテナを設け、これらＭ個のピックアップアンテナと同じＭ個のキャンセル信号生成回路を有するノイズキャンセル部を設ければよい。
【０１２６】
また、２つのテレビ受信用アンテナを用いた場合について説明したが、Ｎ（２以上の自然数）個のテレビ受信用アンテナを用いてダイバシティ受信する場合でも同様である。
【０１２７】
すなわち、Ｎ個のテレビ受信用アンテナに対応して、アンテナ整合部とノイズキャンセル部とチューナ復調部から構成される高周波受信回路を同じＮ個だけ設ける。このＮ個のノイズキャンセル部の中にＰ（２以上の自然数）個のノイズ信号発生源に対応したＰ個のピックアップアンテナをそれぞれ設ける。
【０１２８】
これにより、ノイズ信号をノイズキャンセル部によりキャンセルすることができる。
【産業上の利用可能性】
【０１２９】
以上の如く本発明は、テレビ信号の受信可能な携帯電話、携帯式のゲーム機、携帯式のコンピュータ、携帯式の辞書等に用いることができる。
【図面の簡単な説明】
【０１３０】
【図１】本発明の実施形態１の携帯機器のブロック図
【図２】同、携帯機器の配置図
【図３】（ａ）同、携帯機器におけるピックアップアンテナの他の実施形態の図、（ｂ）同、携帯機器におけるピックアップアンテナの他の実施形態の図
【図４】同、携帯機器の他の実施形態の配置図
【図５】（ａ）同、携帯機器におけるピックアップアンテナの他の実施形態の図、（ｂ）同、携帯機器におけるピックアップアンテナの他の実施形態の図
【図６】同、携帯機器の他の実施形態の配置図
【図７】（ａ）同、携帯機器におけるピックアップアンテナの他の実施形態の図、（ｂ）同、携帯機器におけるピックアップアンテナの他の実施形態の図
【図８】実施形態２の携帯機器のブロック図
【符号の説明】
【０１３１】
１１７ａ  テレビ受信用アンテナ
１１７ｂ  テレビ受信用アンテナ
１３３  ピックアップアンテナ
１３７ａ  ノイズキャンセル部
１３７ｂ  ノイズキャンセル部
【図１】
2009246938.tif 000003
【図２】
2009246938.tif 000004
【図３】
2009246938.tif 000005
【図４】
2009246938.tif 000006
【図５】
2009246938.tif 000007
【図６】
2009246938.tif 000008
【図７】
2009246938.tif 000009
【図８】
2009246938.tif 000010